(57)【要約】      （修正有）【課題】点検時において短時間で多くの項目の点検を可能とするガス警報器を提供する。【解決手段】表示部２０は複数の明滅部２１〜２４を備える。中央制御部５０は、点検モードでは、表示部２０の全ての明滅部２１〜２４が表示するように制御し、表示部２０の表示と同時に出音部７０が受付音を出音するように制御し、表示部２０の表示および出音部７０の出音後、表示部２０の明滅部２１〜２４のうちの何れかが光ることで警報原因を表示するように制御し、表示部２０の警報原因の表示後、さらに前記出音部７０が音声による診断結果を出音するように制御する。【選択図】図１
2015118422.tif 000002
【特許請求の範囲】
【請求項１】
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、前記中央制御部は、点検モードでは、
前記表示部が表示するように制御する表示手段と、
前記表示部の表示と同時に出音部が出音するように制御する出音手段として機能し、
表示部および出音部の状態の点検が行われることを特徴とするガス警報器。
【請求項２】
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が出音するように制御する出音手段と、
前記表示部の表示および出音部の出音後、さらに前記出音部が診断結果を出音するように制御する診断結果出音手段として機能し、
表示部および出音部の状態の点検とともに診断結果の確認が行われることを特徴とするガス警報器。
【請求項３】
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が診断結果を出音するように制御する診断結果出音手段として機能し、
表示部および出音部の状態の点検とともに診断結果の確認が行われることを特徴とするガス警報器。
【請求項４】
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
通常監視時に警報に至った警報原因を登録する警報原因登録手段と、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が出音するように制御する出音手段と、
前記表示部の表示および出音部の出音後、前記表示部が警報原因を表示するように制御する警報原因表示手段と、
前記表示部の警報原因の表示後、さらに前記出音部が診断結果を出音するように制御する診断結果出音手段として機能し、
表示部および出音部の状態の点検とともに警報原因および診断結果の確認が行われることを特徴とするガス警報器。
【請求項５】
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
通常監視時に警報に至った警報原因を登録する警報原因登録手段と、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が診断結果を出音するように制御する診断結果出音手段と、
前記表示部の表示および出音部の出音後、前記表示部が警報原因を表示するように制御する警報原因表示手段として機能し、
表示部および出音部の状態の点検とともに診断結果および警報原因の確認が行われることを特徴とするガス警報器。
【請求項６】
前記表示部は複数の明滅部を備え、一の明滅部に一の警報原因を対応させておき、前記中央制御部の警報原因表示手段は、読み出した警報原因から対応する明滅部を選定しこの明滅部のみを光らせることで警報原因を表示する手段であることを特徴とする請求項４または請求項５に記載のガス警報器。
【請求項７】
前記中央制御部は、点検モード中に警報原因登録手段を機能させないことを特徴とする請求項２〜請求項６の何れか一項に記載のガス警報器。
【請求項８】
前記中央制御部に接続され、警報を停止させるための警報停止スイッチを備え、
前記中央制御部は、
前記警報停止スイッチの所定の操作により、通常監視モードから点検モードに遷移させる点検モード移行手段と、
所定の点検時間が経過した場合に、点検モードから通常監視モードに遷移させる通常監視モード移行手段として機能することを特徴とする請求項１〜請求項７の何れか一項に記載のガス警報器。
【請求項９】
前記警報停止スイッチの所定の操作は、予め設定された時間より長い時間連続して押下する操作であることを特徴とする請求項８に記載のガス警報器。
【発明の詳細な説明】
【技術分野】
【０００１】
本発明は、点検が短時間に行えるガス警報器に関する。
【背景技術】
【０００２】
一般に、ガス警報器の使用開始直後や一定時間使用後に、ガス警報器が正常に作動するか否かの点検が行われる。例えば、ガス販売会社の設置作業員は、ガス警報器を家庭に設置する際に点検を行う。また、一定時間使用後の点検作業では、点検作業員がガス警報器の設置現場に出向いて点検を行う。
【０００３】
この点検のうちガス警報器の動作確認は、以下のようになる。
（１）ランプなど表示部の動作点検を行い表示により通知・通報する。
（２）スピーカなど出音部の動作点検を行い音により通知・通報する。
（３）点検前に登録された過去の警報原因を表示や音により通知・通報する。
【０００４】
このような点検機能を有するガス警報器の先行技術として、例えば、特許文献１（特開２００９−３７４２８号公報）に記載のものが知られている。この先行技術では、点検方法として、複数ランプの点灯と警報音出力を順次行う点が開示されている。
【０００５】
また、点検機能を有するガス警報器の他の先行技術として、例えば、特許文献２（特開２００９−１６３７２３号公報）に記載のものが知られている。この先行技術では、警報原因を表示する点が開示されている。
【先行技術文献】
【特許文献】
【０００６】
【特許文献１】特開２００９−３７４２８号公報
【特許文献２】特開２００９−１６３７２３号公報
【発明の概要】
【発明が解決しようとする課題】
【０００７】
従来技術のガス警報器の点検の際、ランプなどの表示部による表示、スピーカなどの出音部による出音、警報原因の通知を順番に行い、その確認に３０秒〜６０秒程度の時間が必要であり、点検時間が長いという問題があった。
【０００８】
また、特許文献１でも、警報ランプなどの表示部による表示が全て正常であることを確認するのに、３５秒程度の時間が必要であり、やはり点検時間が長いという問題があった。
【０００９】
また、特許文献２では、警報原因しか表示しないので、警報ランプなどの表示部が正常に動作するか、スピーカなどの出音部が正常に動作するかなどの確認ができないという問題があった。
【００１０】
そこで、本発明は上記の問題に鑑みてなされたものであり、その目的は、点検時において短時間で多くの項目の点検を可能とするガス警報器を提供することにある。
【課題を解決するための手段】
【００１１】
本発明の請求項１に係る発明は、
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、前記中央制御部は、点検モードでは、
前記表示部が表示するように制御する表示手段と、
前記表示部の表示と同時に出音部が出音するように制御する出音手段として機能し、
表示部および出音部の状態の点検が行われることを特徴とするガス警報器とした。
【００１２】
また、本発明の請求項２に係る発明は、
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が出音するように制御する出音手段と、
前記表示部の表示および出音部の出音後、さらに前記出音部が診断結果を出音するように制御する診断結果出音手段として機能し、
表示部および出音部の状態の点検とともに診断結果の確認が行われることを特徴とするガス警報器とした。
【００１３】
また、本発明の請求項３に係る発明は、
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が診断結果を出音するように制御する診断結果出音手段として機能し、
表示部および出音部の状態の点検とともに診断結果の確認が行われることを特徴とするガス警報器とした。
【００１４】
また、本発明の請求項４に係る発明は、
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
通常監視時に警報に至った警報原因を登録する警報原因登録手段と、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が出音するように制御する出音手段と、
前記表示部の表示および出音部の出音後、前記表示部が警報原因を表示するように制御する警報原因表示手段と、
前記表示部の警報原因の表示後、さらに前記出音部が診断結果を出音するように制御する診断結果出音手段として機能し、
表示部および出音部の状態の点検とともに警報原因および診断結果の確認が行われることを特徴とするガス警報器とした。
【００１５】
また、本発明の請求項５に係る発明は、
ガスおよび／または火災が検知される検知部と、
検知により取得した情報を表示により出力する表示部と、
検知により取得した情報を音により出力する出音部と、
前記検知部、前記表示部および前記出音部が接続され、ガスおよび／または火災を検知する通常監視モードによる検知動作と点検モードによる点検動作とを行うように制御する中央制御部と、
を備え、
前記中央制御部は、通常監視モードでは、通常監視に加え、
通常監視時に警報に至った警報原因を登録する警報原因登録手段と、
前記中央制御部に接続される各部についての異常の有無を自己診断して診断結果を登録する診断手段として機能し、
前記中央制御部は、点検モードでは、
前記表示部が表示するように制御する表示手段と、
前記表示部の表示と同時に出音部が診断結果を出音するように制御する診断結果出音手段と、
前記表示部の表示および出音部の出音後、前記表示部が警報原因を表示するように制御する警報原因表示手段として機能し、
表示部および出音部の状態の点検とともに診断結果および警報原因の確認が行われることを特徴とするガス警報器とした。
【００１６】
また、本発明の請求項６に係る発明は、
前記表示部は複数の明滅部を備え、一の明滅部に一の警報原因を対応させておき、前記中央制御部の警報原因表示手段は、読み出した警報原因から対応する明滅部を選定しこの明滅部のみを光らせることで警報原因を表示する手段であることを特徴とする請求項４または請求項５に記載のガス警報器とした。
【００１７】
また、本発明の請求項７に係る発明は、
前記中央制御部は、点検モード中に警報原因登録手段を機能させないことを特徴とする請求項２〜請求項６の何れか一項に記載のガス警報器とした。
【００１８】
また、本発明の請求項８に係る発明は、
前記中央制御部に接続され、警報を停止させるための警報停止スイッチを備え、
前記中央制御部は、
前記警報停止スイッチの所定の操作により、通常監視モードから点検モードに遷移させる点検モード移行手段と、
所定の点検時間が経過した場合に、点検モードから通常監視モードに遷移させる通常監視モード移行手段として機能することを特徴とする請求項１〜請求項７の何れか一項に記載のガス警報器とした。
【００１９】
また、本発明の請求項９に係る発明は、
前記警報停止スイッチの所定の操作は、予め設定された時間より長い時間連続して押下する操作であることを特徴とする請求項８に記載のガス警報器とした。
【発明の効果】
【００２０】
本発明によれば、点検時において短時間で多くの項目の点検を可能とするガス警報器を提供することができる。
【図面の簡単な説明】
【００２１】
【図１】本発明を実施するための形態のガス警報器のブロック構成図である。
【図２】本発明を実施するための形態の点検モードの各部のタイミングチャートである。
【図３】本発明を実施するための形態の点検モードのフローチャートである。
【図４】他の形態の点検モードの各部のタイミングチャートである。
【図５】他の形態の点検モードのフローチャートである。
【図６】他の形態の点検モードの各部のタイミングチャートである。
【図７】他の形態の点検モードのフローチャートである。
【図８】他の形態の点検モードの各部のタイミングチャートである。
【図９】他の形態の点検モードのフローチャートである。
【図１０】他の形態の点検モードの各部のタイミングチャートである。
【図１１】他の形態の点検モードのフローチャートである。
【発明を実施するための形態】
【００２２】
以下、図面を参照しつつ本発明の実施の形態について説明する。図１はガス警報器のブロック構成図である。このガス警報器は、通常の監視を行う通常監視モードと、点検を行う点検モードと、で動作する。
【００２３】
通常監視モードでは、ガス警報器１は本検知ガス、および、火災時に発生する熱や煙を検知する。さらに本検知ガスは、都市ガスである燃料ガス（主成分はメタンガス）、燃料ガスの不完全燃焼時に発生する一酸化炭素（ＣＯ）ガスである。
【００２４】
点検モードでは、各種点検を行う。点検モードのうちガス吹き付け点検モードでは、ガス警報器１に対し、本検知ガスを吹き付けたり、また、点検ガスを吹き付けたりして、警報音を発するか否かを調べる。警報音を発した場合、ガス警報器はガスに対する感度を保持しており、機能は正常であると判断される。
【００２５】
点検ガスは、都市ガスのコンロを引火させ、この燃焼されたガスを用いる。このような都市ガス用の点検ガスは、メタン・水素・一酸化炭素（ＣＯ）である。また、ガスライターを引火させ、この燃焼されたガスを用いる。このような都市ガス用の点検ガスは、ブタン・水素・一酸化炭素（ＣＯ）である。
【００２６】
続いてガス警報器１の各構成について説明する。ガス警報器１は、電源部１０、表示部２０、検知部３０、センサヒータ制御部４０、中央制御部５０、温度検知部６０、出音部７０、記憶部８０、警報停止スイッチ９０を備える。続いて各部について説明する。
【００２７】
電源部１０は、さらに電源供給部１１、電源回路１２を備える。ガス警報器の電源系統としては、ＡＣ１００Ｖ（５０／６０Ｈｚ）の商用電源である電源供給部１１から電源回路１２を経て回路電源を供給する。回路電源は５Ｖの定電圧電源であり、後述するが、表示部２０の各明滅部２１〜２４やマイコン等の中央制御部５０等に供給される。
【００２８】
なお、このガス警報器１は、その電源としてＡＣ１００Ｖを採用したものに代えて、電池を採用したものでも良い。電池である電源供給部１１から電源回路１２に電力が供給され、以下同様に各部に電力供給される。
【００２９】
表示部２０は、さらに火災警報用明滅部２１、ガス警報用明滅部２２、ＣＯ警報用明滅部２３、電源表示用明滅部２４を備えている。これら明滅部２１〜２４はＬＤ、ＬＥＤ、または、ランプ等の各種の発光体を採用することができ、ガス警報器１の状態を明滅（点灯、点滅、消灯）によって表示する。これら明滅部２１〜２４は、電源回路１２と中央制御部５０との間に接続されており、表示制御は、中央制御部５０内の表示制御手段５５により行われる。
【００３０】
火災警報用明滅部２１は火災の検知を表示により伝える。ガス警報用明滅部２２はガス漏れによる都市ガスの検知を表示により伝える。ＣＯ警報用明滅部２３はＣＯガスの検知を表示により伝える。電源表示用明滅部２４はガス警報器１の通電状態を表示する。
【００３１】
検知部３０は、さらにガス検知部３１、火災検知部３２を備える。
ガス検知部３１は、主として半導体ガスセンサからなる回路であり、都市ガス及びＣＯガスを検知可能である。このガス検知部３１の出力電圧は、中央制御部５０内の都市ガス検出手段５２及びＣＯガス検出手段５３に加えられている。
【００３２】
火災検知部３２は、火災時の熱をサーミスタ等によって検知するもの、または、煙を光電式煙センサ等によって検知するものであり、その出力電圧は中央制御部５０内の火災検出手段５４に加えられている。
【００３３】
センサヒータ制御部４０は、中央制御部５０内のセンサ制御手段５１からの制御信号を受けて、ガス検知部３１内に設けられた半導体ガスセンサ（図示せず）のヒータを２種類の電圧により高温側、低温側に加熱するための制御回路である。
【００３４】
中央制御部５０は、センサ制御手段５１、都市ガス検知手段５２、ＣＯガス検知手段５３、火災検知手段５４、表示制御手段５５、出力制御手段５６として機能する。
【００３５】
このような中央制御部５０は、ガス警報器１全体の動作を制御するマイクロコンピュータ等のＣＰＵ及びその周辺回路によって構成されており、前述した各検出手段５２，５３，５４及び各制御手段５１，５５，５６の機能をハードウェア並びにソフトウェアによって実現している。不図示の内蔵メモリに予め記憶されているプログラムを実行することにより、後述するような通常監視モードや点検モードのガス検知処理を行う。
【００３６】
なお、ガス検知部３１や火災検知部３２の出力はアナログ信号であるため、中央制御部５０は、これらのアナログ信号をディジタル信号に変換するＡ／Ｄ変換回路を備えている。
【００３７】
温度検知部６０は、温度補償用のセンサである。中央制御部５０が温度を取得して、都市ガスやＣＯガスの有無の判定に利用する。
【００３８】
出音部７０は、例えば、警報音出力回路７１、スピーカ７２を備える。警報音出力回路７１は、前記各検出手段５２，５３，５４等の出力を受けた出力制御手段５６の動作により、都市ガス，ＣＯガスの検知時、火災検出時、ガス警報器の故障検出時等に、これらの検出内容を音によりスピーカ７２から出力させるためのものである。
【００３９】
記憶部８０は、各種の警報を発生するための閾値等の電圧設定値、点検モードと都市ガス及びＣＯガスの検知モードとを切り替えるための時間設定値、ガス警報器が警報を発した時の状態データ等の履歴データを記憶している。また、通常監視時に警報に至った警報原因についての警報原因データを登録する。また、中央制御部５０に接続される各部についての異常の有無を自己診断がされたときにこの診断結果を診断結果データとして登録する。
【００４０】
警報停止スイッチ９０は、警報が発せられた時に押下すると、中央制御部５０が入力信号を受信し、表示部２０や出音部７０の警報出力を停止するように制御する。なお、後述するが、この警報停止スイッチ９０の長押しにより点検モードに移行する。この点検モードについては後述する。
【００４１】
続いて、このように構成されたガス警報器１の中央制御部５０による本検知や点検について説明する。まず、通常監視モードの本検知について説明する。中央制御部５０は、本検知ガスや火災を検知する一連の処理を行うこととなる。具体的には、ガス検知部３１における都市ガスセンサやＣＯガスセンサのセンサ抵抗値からガスの有無を判別する。また、火災検知部３２で熱や煙を検知する。
【００４２】
続いて、点検モードの点検について説明する。まず、点検モードへ遷移させるための警報停止スイッチ９０の長押しについて説明する。警報停止スイッチ９０は、通常監視モードにおける警報発令時での押下は警報停止のための機能のみ有するが、通常監視モードにおける通常時（警報が発令されていない時）での押下は点検モードへ遷移させる機能を有する。
【００４３】
中央制御部５０は、警報停止スイッチ９０が予め設定された時間より連続して長い時間押下されたと判断したとき、通常監視モードから点検モードへと遷移する。この予め設定された時間について説明する。所定の長さの第１の時間では通常点検モードに遷移し、さらに第１の時間よりも長い第２の時間では警報音デモンストレーションモードに遷移し、さらに第２の時間よりも長い第３の時間ではガス吹きつけ点検モードに遷移する。
【００４４】
警報停止スイッチ９０の押下時間が１秒未満では動作しない。誤って警報停止スイッチ９０が短時間押されたような場合には点検モードに移行しないようにする。
【００４５】
警報停止スイッチ９０の押下時間が１秒以上５秒未満では通常点検モードに移行する。ガス警報器１が正常に動作しているか確認する。この通常点検モードの詳細については後に詳述する。
【００４６】
警報停止スイッチ９０の押下時間が５秒以上１０秒未満では警報音デモンストレーションモードに移行する。ガス警報器１の警報音を出力する。例えば、「ピッピッピッピッ、ガスがもれていませんか」と発報する。
【００４７】
警報停止スイッチ９０の押下時間が１０秒以上ではガス吹きつけ点検モードに移行する。ガスの吹きつけによるガス警報器１の動作点検を行う。
【００４８】
このガス吹きつけ点検モードでは、ガス警報器のガスセンサに実際の検知対象となる本検知ガスを吹き付けたり、また、点検用に準備した点検ガスを吹き付けたりして、警報音を発するか否かを調べる。警報音を発した場合、ガス警報器はガスに対する感度を保持しており、機能は正常であると判断される。
【００４９】
このように警報停止スイッチ９０を利用することで、これらの点検モードへ容易に遷移することができる。
【００５０】
さて、点検作業員は、点検モードへ遷移させるため、警報停止スイッチ９０の長押しを行う。中央制御部５０は、警報停止スイッチ９０が予め設定された時間を超えて連続して長い時間押下されたと判断したとき、通常監視モードから点検モードへと遷移する。ここでは、通常点検モードへと遷移する。
【００５１】
中央制御部５０は、図２で示すタイミングチャートにより図３で示すフローに従って一連の処理を行うこととなる。
中央制御部５０は、表示部２０が表示するように制御する表示手段として機能する。具体的には図２で示すように同時に火災警報用明滅部２１、ガス警報用明滅部２２、ＣＯ警報用明滅部２３、電源表示用明滅部２４を全て点灯する（図３のステップＳ１）。
【００５２】
続いて中央制御部５０は、表示部２０の表示と同時に出音部７０が出音するように制御する出音手段として機能する。具体的には受付音「ピッ」という音が出力される（図３のステップＳ２）。
【００５３】
中央制御部５０は、この表示および出音を所定時間（例えば１ｓ±１０ｍｓ）行なう（図３のステップＳ３）。
この時間に全ての明滅部が点灯されていたならば、全ての明滅部が正常であることが点検作業員により確認される。仮に点灯していない明滅部があれば、異常ありとしてガス警報器１が新品に交換される。また、出音部７０から音が出たならば、出音部７０が正常であることが点検作業員により確認される。仮に音がなければ、異常ありとしてガス警報器１が新品に交換される。
このようにして、点検が行われる。
【００５４】
以上本形態のガス警報器１について説明した。このようなガス警報器１では、表示部２０および出音部７０の状態を同時に確認することで、点検時間を短縮（本形態では例示的に１秒）できる。
また、警報停止スイッチ９０を長押しすることで、通常監視モードから点検モードへ遷移できるようにしたので、点検が容易になる。
また、ガスもれなどの警報中に警報停止スイッチ９０が操作された場合は、本機能は動作せず、警報停止機能が動作するようにしたので、本来の警報停止スイッチ９０の機能も当然に果たしうる。
また、既存の警報停止スイッチ９０と共用することによって、部品の追加などがいらない。
【００５５】
続いて、他の形態のガス警報器１の中央制御部５０による本検知や点検について図４，図５を参照しつつ説明する。構成については図１で説明したガス警報器１と同じであるが点検が相違する。まず、通常監視モードの本検知について説明する。中央制御部５０は、本検知ガスや火災を検知する一連の処理を行うこととなる。具体的には、ガス検知部３１における都市ガスセンサやＣＯガスセンサのセンサ抵抗値からガスの有無を判別する。また、火災検知部３２で熱や煙を検知する。
【００５６】
さらに通常監視モードでは、中央制御部５０は、中央制御部５０に接続される各部について、所定時間毎、または、スイッチ操作に応じて異常の有無を自己診断して自己診断結果を記憶部８０に登録する診断手段として機能する。
診断内容としては、例えば、電源部１０の電圧監視、ガス検知部３１や火災検知部３２の故障の有無、センサヒータ制御部４０のセンサヒータ電圧・センサヒータの断線・センサ出力の監視、温度検知部６０の故障の有無の監視、出音部７０のスピーカ断線監視、記憶部８０のデータ読み書きの監視、などである。このようにして、通常監視モードで本検知ガスの検知や診断を行う。
【００５７】
続いて、点検モードの点検について説明する。上記のような点検モードへ遷移させるための警報停止スイッチ９０の所定時間の長押しにより、通常点検モードへと遷移する。
【００５８】
中央制御部５０は、図４で示すタイミングチャートにより図５で示すフローに従って一連の処理を行うこととなる。
中央制御部５０は、表示部２０が表示するように制御する表示手段として機能する。具体的には図４で示すように同時に火災警報用明滅部２１、ガス警報用明滅部２２、ＣＯ警報用明滅部２３、電源表示用明滅部２４を全て点灯する（図５のステップＳ１１）。
【００５９】
続いて中央制御部５０は、表示部２０の表示と同時に出音部７０が出音するように制御する出音手段として機能する。具体的には受付音「ピッ」という音が出力される（図５のステップＳ１２）。
【００６０】
中央制御部５０は、この表示および出音を所定時間（例えば１ｓ±１０ｍｓ）行なう（図５のステップＳ１３）。
この時間に全ての明滅部が点灯されていたならば、全ての明滅部が正常であることが点検作業員により確認される。仮に点灯していない明滅部があれば、異常ありとしてガス警報器１が新品に交換される。また、出音部７０から音が出たならば、出音部７０が正常であることが点検作業員により確認される。仮に音がなければ、異常ありとしてガス警報器１が新品に交換される。
【００６１】
中央制御部５０は、表示部２０の表示および出音部７０の出音後、さらに出音部７０が診断結果を出音するように制御する診断結果出音手段として機能する。具体的には、記憶部８０にアクセスして診断結果データを読み出す。そして、故障の診断結果がないとき（図５のステップＳ１４でＮＯ）には「正常です」と出音し（図５のステップＳ１５）、また、故障の診断結果があるとき（図５のステップＳ１４でＹＥＳ）には「故障です。」と出音する（図５のステップＳ１６）。
【００６２】
なお、中央制御部５０は、この出音を所定時間（例えば１ｓ±１０ｍｓ）行なう（図５のステップＳ１７）。この時間に点検作業員が診断結果を聞いて、異常ありの場合にはガス警報器１が新品に交換される。
このようにして、通常点検モードでは短時間に点検を行える。
【００６３】
以上本形態のガス警報器１について説明した。このようなガス警報器では、表示部２０および出音部７０の状態を同時に確認することで、点検時間を所定時間（本形態では例示的に約１秒）まで短縮できる。
加えて診断結果も正常か故障かのみ確認することで、点検時間を所定時間（本形態では例示的に約１秒）まで短縮できる。
正常の場合は全体の点検が所定時間（本形態では例示的に約２秒）で終了することになり、やはり点検が短縮されている。
【００６４】
続いて、他の形態のガス警報器１の中央制御部５０による本検知や点検について図６，図７を参照しつつ説明する。構成については図１で説明したガス警報器１と同じであるが通常監視や点検が相違する。まず、通常監視モードの本検知について説明する。中央制御部５０は、本検知ガスや火災を検知する一連の処理を行うこととなる。具体的には、ガス検知部３１における都市ガスセンサやＣＯガスセンサのセンサ抵抗値からガスの有無を判別する。また、火災検知部３２で熱や煙を検知する。
【００６５】
さらに通常監視モードでは、中央制御部５０は、中央制御部５０に接続される各部について、所定時間毎、または、スイッチ操作に応じて異常の有無を自己診断して自己診断結果を記憶部８０に登録する診断手段として機能する。診断内容は、上記のように、電源部１０、ガス検知部３１や火災検知部３２、センサヒータ制御部４０、温度検知部６０、出音部７０、記憶部８０などについての診断である。このようにして、通常監視モードで本検知ガスの検知や自己診断を行う。
【００６６】
続いて、点検モードの点検について説明する。上記のような点検モードへ遷移させるための警報停止スイッチ９０の所定時間の長押しにより、通常点検モードへと遷移する。
【００６７】
中央制御部５０は、図６で示すタイミングチャートにより図７で示すフローに従って一連の処理を行うこととなる。
中央制御部５０は、表示部２０が表示するように制御する表示手段として機能する。具体的には図６で示すように同時に火災警報用明滅部２１、ガス警報用明滅部２２、ＣＯ警報用明滅部２３、電源表示用明滅部２４を全て点灯する（図７のステップＳ２１）。
【００６８】
続いて中央制御部５０は、表示部２０の表示と同時に出音部７０が診断結果を出音するように制御する診断結果出音手段として機能する。具体的には、記憶部８０にアクセスして診断結果データを読み出す。そして、故障の診断結果がないとき（図７のステップＳ２２でＮＯ）には「正常です」と出音し（図７のステップＳ２３）、また、故障の診断結果があるとき（図７のステップＳ２２でＹＥＳ）には「故障です。」と出音する（図７のステップＳ２４）。
【００６９】
中央制御部５０は、この表示および出音を所定時間（例えば１ｓ±１０ｍｓ）行なう（図７のステップＳ２５）。
この時間に全ての明滅部が点灯されていたならば、全ての明滅部が正常であることが点検作業員により確認される。仮に点灯していない明滅部があれば、異常ありとしてガス警報器１が新品に交換される。また、出音部７０から診断結果を音声で聞けたならば、出音部７０や診断結果が正常であることが点検作業員により確認される。仮に音がない場合や、音があっても異常ありの場合には、ガス警報器１が新品に交換される。
このようにして、通常点検モードでは短時間に点検を行える。
【００７０】
以上本形態のガス警報器１について説明した。このようなガス警報器でも、表示部２０および出音部７０の状態を同時に確認することで、点検時間を所定期間（本形態では例示的に約１秒）まで短縮できる。
さらに出音部からは診断結果が出音されるため、診断結果も確認される。加えて診断結果は正常か故障かのみ出音確認する、つまり故障の有無のみ出音し、故障の詳細を長々と出音しないことで、点検が短縮されている。さらに、正常の場合は全体の点検時間が所定期間（本形態では例示的に約１秒）で終了することになり、やはり点検が短縮されている。
【００７１】
続いて、他の形態のガス警報器１の中央制御部５０による本検知や点検について図８，図９を参照しつつ説明する。構成については図１で説明したガス警報器１と同じであるが通常監視や点検が相違する。まず、通常監視モードの本検知について説明する。中央制御部５０は、本検知ガスや火災を検知する一連の処理を行うこととなる。具体的には、ガス検知部３１における都市ガスセンサやＣＯガスセンサのセンサ抵抗値からガスの有無を判別する。また、火災検知部３２で熱や煙を検知する。
【００７２】
さらに通常監視モードでは、中央制御部５０は、通常監視時に警報に至った警報原因を記憶部８０に登録する警報原因登録手段として機能する。例えば、火災警報、ガス警報、ＣＯ警報の有無について登録される。
【００７３】
また、通常監視モードでは、中央制御部５０は、中央制御部５０に接続される各部について、所定時間毎、または、スイッチ操作に応じて異常の有無を自己診断して自己診断結果を記憶部８０に登録する診断手段として機能する。診断内容としては、上記のように、電源部１０、ガス検知部３１や火災検知部３２、センサヒータ制御部４０、温度検知部６０、出音部７０、記憶部８０などについての診断である。このようにして、通常監視モードで本検知ガスや火災の検知、および、警報原因の登録や診断を行う。
【００７４】
続いて、点検モードの点検について説明する。上記のような点検モードへ遷移させるための警報停止スイッチ９０の所定時間の長押しにより、通常点検モードへと遷移する。なお、点検モード中は、意図的にガスを吹き付けて警報させるガス吹きつけ点検モードなどもあるので、診断結果として残したくない。（実際の使用状況での警報履歴だけを残したい。）このため、点検モード中では、警報履歴を残さないように警報原因登録手段を機能させないようにする。
【００７５】
中央制御部５０は、図８で示すタイミングチャートにより図９で示すフローに従って一連の処理を行うこととなる。
中央制御部５０は、表示部２０が表示するように制御する表示手段として機能する。具体的には図８で示すように同時に火災警報用明滅部２１、ガス警報用明滅部２２、ＣＯ警報用明滅部２３、電源表示用明滅部２４を全て点灯する（図９のステップＳ３１）。
【００７６】
続いて中央制御部５０は、表示部２０の表示と同時に出音部７０が出音するように制御する出音手段として機能する。具体的には受付音「ピッ」という音が出力される（図９のステップＳ３２）。
【００７７】
中央制御部５０は、この表示および出音を所定時間（例えば１ｓ±１０ｍｓ）行なう（図９のステップＳ３３）。
この時間に全ての明滅部が点灯されていたならば、全ての明滅部が正常であることが点検作業員により確認される。仮に点灯していない明滅部があれば、異常ありとしてガス警報器１が新品に交換される。また、出音部７０から音が出たならば、出音部７０が正常であることが点検作業員により確認される。仮に音がなければ、異常ありとしてガス警報器１が新品に交換される。
【００７８】
中央制御部５０は、表示部２０の表示および出音部７０の出音後、表示部２０が警報原因を表示するように制御する警報原因表示手段として機能する。一の明滅部に一の警報原因を対応させておき、中央制御部５０の警報原因表示手段は、読み出した警報原因から対応する明滅部を選定しこの明滅部のみを光らせることで警報原因を表示する手段である。具体的には警報原因が記憶部８０に登録されている場合（図９のステップＳ３４でＹＥＳ）には警報原因を示す明滅部のみ点灯し（図９のステップＳ３５、図８では例示的にガス警報用明滅部２２を点灯）、他の明滅部は消灯する。また、警報原因が記憶部８０に登録されていない場合（図９のステップＳ３４でＮＯ）に全ての明滅部を消灯する（図９のステップＳ３６）。なお、この警報原因は最新のもののみ記憶部８０に登録されているものとする。
【００７９】
中央制御部５０は、この点灯または消灯を所定時間（例えば１ｓ±１０ｍｓ）行なう（図９のステップＳ３７）。所定時間が経過したとき、全明滅部を消灯する。
【００８０】
中央制御部５０は、表示部２０の警報原因の表示後、さらに出音部７０が診断結果を出音するように制御する診断結果出音手段として機能する。具体的には、記憶部８０にアクセスして診断結果データを読み出す。そして、故障の診断結果がないとき（図９のステップＳ３８でＮＯ）には「正常です」と出音し（図９のステップＳ３９）、また、故障の診断結果があるとき（図９のステップＳ３８でＹＥＳ）には「故障です。」と出音する（図９のステップＳ４０）。
【００８１】
なお、中央制御部５０は、この出音を所定時間（例えば１ｓ±１０ｍｓ）行なう（図９のステップＳ４１）。この時間に点検作業員が診断結果を聞いて、異常ありの場合にはガス警報器１が新品に交換される。
このようにして、通常点検モードでは短時間に点検を行える。
【００８２】
以上本形態のガス警報器１について説明した。このようなガス警報器でも、表示部２０および出音部７０の状態を同時に確認することで、点検時間を所定時間（本形態では例示的に約１秒）まで短縮できる。
加えて警報原因も確認することで、設置先で何の警報が発生したかの情報を短時間（本形態では例示的に約１秒）で取得できるなど、短い時間での点検に寄与する。
加えて診断結果も正常か故障かのみ確認することで、点検時間を所定時間（本形態では例示的に約１秒）まで短縮できる。
正常の場合は全体の点検が所定時間（本形態では例示的に約３秒）で終了することになり、やはり点検が短縮されている。
【００８３】
続いて、他の形態のガス警報器１の中央制御部５０による本検知や点検について図１０，図１１を参照しつつ説明する。構成については図１で説明したガス警報器１と同じであるが通常監視や点検が相違する。まず、通常監視モードの本検知について説明する。中央制御部５０は、本検知ガスや火災を検知する一連の処理を行うこととなる。具体的には、ガス検知部３１における都市ガスセンサやＣＯガスセンサのセンサ抵抗値からガスの有無を判別する。また、火災検知部３２で熱や煙を検知する。
【００８４】
さらに通常監視モードでは、中央制御部５０は、通常監視時に警報に至った警報原因を記憶部８０に登録する警報原因登録手段として機能する。例えば、火災警報、ガス警報、ＣＯ警報の有無について登録される。
【００８５】
また、通常監視モードでは、中央制御部５０は、中央制御部５０に接続される各部について、所定時間毎、または、スイッチ操作に応じて異常の有無を自己診断して自己診断結果を記憶部８０に登録する診断手段として機能する。診断内容としては、上記のように、電源部１０、ガス検知部３１や火災検知部３２、センサヒータ制御部４０、温度検知部６０、出音部７０、記憶部８０などについての診断である。このようにして、通常監視モードで本検知ガスや火災の検知、および、警報原因の登録や診断を行う。
【００８６】
続いて、点検モードの点検について説明する。上記のような点検モードへ遷移させるための警報停止スイッチ９０の所定時間の長押しにより、通常点検モードへと遷移する。なお、点検モード中は、意図的にガスを吹き付けて警報させるガス吹きつけ点検モードなどもあるので、診断結果として残したくない。（実際の使用状況での警報履歴だけを残したい。）このため、点検モード中では、警報履歴を残さないように警報原因登録手段を機能させないようにする。
【００８７】
中央制御部５０は、図１０で示すタイミングチャートにより図１１で示すフローに従って一連の処理を行うこととなる。
中央制御部５０は、表示部２０が表示するように制御する表示手段として機能する。具体的には図１０で示すように同時に火災警報用明滅部２１、ガス警報用明滅部２２、ＣＯ警報用明滅部２３、電源表示用明滅部２４を全て点灯する（図１１のステップＳ５１）。
【００８８】
続いて中央制御部５０は、表示部２０の表示と同時に出音部７０が診断結果を出音するように制御する診断結果出音手段として機能する。具体的には、記憶部８０にアクセスして診断結果データを読み出す。そして、故障の診断結果がないとき（図１１のステップＳ５２でＮＯ）には「正常です」と出音し（図１１のステップＳ５３）、また、故障の診断結果があるとき（図１１のステップＳ５２でＹＥＳ）には「故障です。」と出音する（図１１のステップＳ５４）。
【００８９】
中央制御部５０は、この表示および出音を所定時間（例えば１ｓ±１０ｍｓ）行なう（図１１のステップＳ５５）。
【００９０】
この時間に全ての明滅部が点灯されていたならば、全ての明滅部が正常であることが点検作業員により確認される。仮に点灯していない明滅部があれば、異常ありとしてガス警報器１が新品に交換される。また、出音部７０から診断結果を音声で聞けたならば、出音部７０が正常であることが点検作業員により確認される。また、診断結果も確認される。仮に音がない場合や、音があっても異常ありの場合には、ガス警報器１が新品に交換される。
【００９１】
中央制御部５０は、表示部２０の表示および出音部７０の出音後、表示部２０が警報原因を表示するように制御する表示手段として機能する。一の明滅部に一の警報原因を対応させておき、中央制御部５０の警報原因表示手段は、読み出した警報原因から対応する明滅部を選定しこの明滅部のみを光らせることで警報原因を表示する手段である。具体的には警報原因が登録されている場合（図１１のステップＳ５６でＹＥＳ）に警報原因を示す明滅部のみ点灯し（図１１のステップＳ５７、図１０では例示的にガス警報用明滅部２２を点灯）、他の明滅部は消灯する。また、警報原因が登録されていない場合（図１１のステップＳ５６でＮＯ）に全ての明滅部を消灯する（図１１のステップＳ５８）。なお、この警報原因は最新のもののみ記憶部８０に登録されているものとする。
【００９２】
中央制御部５０は、この点灯または消灯を所定時間（例えば１ｓ±１０ｍｓ）行なう（図１１のステップＳ５９）。所定時間が経過したとき、全明滅部を消灯する。
このようにして、通常点検モードでは短時間に点検を行える。
【００９３】
以上本形態のガス警報器１について説明した。このようなガス警報器１でも、表示部２０および出音部７０の状態を同時に確認することで、点検時間を所定時間（本形態では例示的に約１秒）まで短縮できる。さらに出音部からは診断結果が出音されるため、診断結果も確認される。加えて診断結果は正常か故障かのみ出音確認することで、点検時間を短縮できる。
加えて警報原因も確認することで、設置先で何の警報が発生したかの情報を短時間（本形態では例示的に約１秒）で取得できるなど、短い時間での点検に寄与する。
正常の場合は全体の点検が所定時間（本形態では例示的に約２秒）で終了することになり、やはり点検が短縮されている。
【００９４】
このような本発明では、短時間で、警報表示、警報音、警報原因、故障診断結果の全てが確認できるようになる。したがって、多くの点検を簡単に短時間に行うことができる。
【符号の説明】
【００９５】
１：ガス警報器
１０：電源部
１１：電源供給部
１２：電源回路
２０：表示部
２１：火災警報用明滅部
２２：ガス警報用明滅部
２３：ＣＯ警報用明滅部
２４：電源表示用明滅部
３０：検知部
３１：ガス検知部
３２：火災検知部
４０：センサヒータ制御部
５０：中央制御部
５１：センサ制御手段
５２：都市ガス検知手段
５３：ＣＯガス検知手段
５４：火災ガス検知手段
５５：表示制御手段
５６：出力制御手段
６０：温度検知部
７０：出音部
７１：警報音出力回路
７２：スピーカ
８０：記憶部
９０：警報停止スイッチ
【図１】
2015118422.tif 000003
【図２】
2015118422.tif 000004
【図３】
2015118422.tif 000005
【図４】
2015118422.tif 000006
【図５】
2015118422.tif 000007
【図６】
2015118422.tif 000008
【図７】
2015118422.tif 000009
【図８】
2015118422.tif 000010
【図９】
2015118422.tif 000011
【図１０】
2015118422.tif 000012
【図１１】
2015118422.tif 000013